(57)【要約】      （修正有）【課題】テープの強度を向上させることができ、テープを湾曲させた場合に生じる内部応力を小さくすることのできるファスナーチェーンを提供すること。【解決手段】ファスナーチェーン１は、織物からなる一対のテープ３，３であってその長手方向が経糸３ａの延長方向である一対のテープと、一対のテープの対向する側縁部に固定された一対のエレメント列４，４とを含む一対のファスナーストリンガー２，２を備える。テープは、前記側縁部を形成する帯部３１と、前記側縁部とは反対側を形成するプリーツ部３２とを備える。帯部３１は平板形状である。プリーツ部は、経糸の延長方向に折り畳み可能に屈曲して連続する複数のプリーツ片３３を備える。【選択図】図１
2017018327.tif 000002
【特許請求の範囲】
【請求項１】
織物からなる一対のテープ（３，３）であってその長手方向が経糸（３ａ）の延長方向である一対の前記テープ（３，３）と、一対の前記テープ（３，３）の対向する側縁部に固定された一対のエレメント列（４，４）とを含む一対のファスナーストリンガー（２，２）を備え、
前記テープ（３）は、前記側縁部を形成する帯部（３１）と、前記側縁部とは反対側を形成するプリーツ部（３２）とを備え、
前記帯部（３１）は平板形状であって、
前記プリーツ部（３２）は、前記経糸（３ａ）の延長方向に折り畳み可能に屈曲して連続する複数のプリーツ片（３３）を備えていることを特徴とするファスナーチェーン。
【請求項２】
前記帯部（３１）の前記経糸（３ａ）は前記プリーツ部（３２）の前記経糸（３ａ）よりも短く、
前記帯部（３１）の緯糸（３ｂ）と前記プリーツ部（３２）の緯糸（３ｂ）は連続していることを特徴とする請求項１記載のファスナーチェーン。
【請求項３】
前記帯部（３１）の前記経糸（３ａ）は、前記プリーツ部（３２）の前記経糸（３ａ）に比べて熱収縮率の高い糸であって、熱収縮した状態となっていることを特徴とする請求項１、又は２記載のファスナーチェーン。
【請求項４】
経編組織の編物からなる一対のテープ（３，３）であってその長手方向がウェール（Ｗａ）の延長方向である一対の前記テープ（３，３）と、一対の前記テープ（３，３）の対向する側縁部に固定された一対のエレメント列（４，４）とを含む一対のファスナーストリンガー（２，２）を備え、
前記テープ（３）は、前記側縁部を形成する帯部（３１）と、前記側縁部とは反対側を形成するプリーツ部（３２）とを備え、
前記帯部（３１）は平板形状であって
前記プリーツ部（３２）は、前記ウェール（Ｗａ）の延長方向に折り畳み可能に屈曲して連続する複数のプリーツ片（３３）を備えていることを特徴とするファスナーチェーン。
【請求項５】
請求項１、２、３又は４記載の前記ファスナーチェーン（１）と、前記ファスナーチェーン（１）を開閉するスライダー（６）とを備え、
前記スライダー（６）は、一対の前記エレメント列（４，４）に沿って往復動可能なスライダー胴体（６ａ）を備え、
前記帯部（３１）は、前記テープ（３）の短手方向の全長のうち前記スライダー胴体（６ａ）に対面する全範囲に形成されていることを特徴とするスライドファスナー。
【請求項６】
前記テープ（３）の長手方向から視ると、前記帯部（３１）は、前記対向する側縁部とは反対側に向かって開口するＵ字状であると共に、Ｕ字状の内側に前記スライダー（６）が通る通行空間部（３１ｓ）を備えるもので、
前記スライダー胴体（６ａ）は、一対の前記通行空間部（３１ｓ）に配置される一対の上板片（６１ａ，６１ａ）を備えるものであることを特徴とする請求項５記載のスライドファスナー。
【発明の詳細な説明】
【技術分野】
【０００１】
本発明は、ファスナーチェーン、及びそれを使用するスライドファスナーに関する。
【背景技術】
【０００２】
スライドファスナーは、衣服や鞄等の対象物に取り付けられるもので、開閉可能なファスナーチェーンと、ファスナーチェーンに沿って往復動可能であってファスナーチェーンを開閉させるスライダーとを含むものである。またファスナーチェーンは、対象物の開口部に対向する状態で取り付けられる一対のテープと、一対のテープの対向する側縁部に沿って固定された一対のエレメント列とを備えるものである。
【０００３】
ところで対象物の開口部の形状は様々である。対象物の開口部の形状の一般的な一例としては、その延長方向を一直線とする形状、より詳しく言えば開口部の幅方向の両縁を開口部の延長方向に沿って一直線にする形状が存在する。また対象物の開口部の形状には、その延長方向を一直線でなく、図６に示すようにその幅方向に湾曲した形状（以下「湾曲形状」と言う。）も存在する。開口部を湾曲形状とする対象物の場合、スライドファスナーは、一対のテープが互いの対向する方向に湾曲した形状で対象物の開口部に取り付けられる。
【０００４】
この特殊な取り付け態様に対応するファスナーチェーンの一例として、例えば一対のテープの対向する側縁部とは反対側に沿って間隔をあけて切込みを備えるものが存在する（特許文献１）。より詳しく言えば各テープは、前記した対向する側縁部を形成する平板状の帯部と、対向する側縁部とは反対側を形成する多数の小さな小片部とから構成され、これら多数の小片部が帯部の長手方向に沿って切込みの間隔をあけて一列に並べられたものである。また切込みは、テープの対向する側縁とは反対側から帯部に向かって形成されており、切込みの長さ（深さ）が長いほど、テープの帯部ひいてはファスナーチェーンは、湾曲させやすくなるものである。
【先行技術文献】
【特許文献】
【０００５】
【特許文献１】実開昭６３−１９４６０５号公報
【発明の概要】
【発明が解決しようとする課題】
【０００６】
しかしながら切込みを入れると、テープの強度が大幅に低下する。したがってテープの強度をあまり低下させることなく、先の特殊な取り付け態様に対応することのできるファスナーチェーンが望ましい。
【０００７】
また切込みを入れたファスナーチェーンを、開口部を湾曲形状とする対象物に取り付ける場合には、帯部を湾曲させた状態としつつ、各小片部を切込みの深さ方向の中間部において対象物に縫糸で縫製するようにしている。
【０００８】
そうすると湾曲させた帯部には元の形状に戻ろうとする内部応力が発生し、帯部の内部応力が縫糸から衣服等の対象物に加わることになる。また各小片部は切込みによって隣の小片部とは分離しているので、帯部の内部応力を緩和させる作用は小片部からは殆ど発生しない。したがって対象物が薄い場合には帯部の内部応力によって対象物に皺ができやすくなる。
【０００９】
また隣り合う小片部同士は分離しているので、スライダーを移動させるときにスライダーによって噛み込まれることがあった。特にスライドファスナーの中でも隠しスライドファスナーの場合には、スライダーが小片部を噛み込み易かった。ちなみに隠しスライドファスナーとは、スライダーのスライダー胴体が対象物の表側から見え難くなっているものである。
【００１０】
本発明は上記実情を考慮して創作されたものであり、その目的は、テープの強度を向上させることができ、テープを湾曲させた場合に生じる内部応力を小さくすることのできるファスナーチェーン及びスライドファスナーを提供することである。
【課題を解決するための手段】
【００１１】
本発明のファスナーチェーンは、織物からなる一対のテープであってその長手方向が経糸の延長方向である一対のテープと、一対のテープの対向する側縁部に固定された一対のエレメント列とを含む一対のファスナーストリンガーを備えるものである。テープは、前記側縁部を形成する帯部と、前記側縁部とは反対側を形成するプリーツ部とを備える。帯部は平板形状である。プリーツ部は、経糸の延長方向に折り畳み可能に屈曲して連続する複数のプリーツ片を備える。
【００１２】
テープは複数枚の織物を短手方向に縫製等して固定したものであっても良いが、変形し易くするには１枚の方が良い。この場合、帯部の経糸はプリーツ部の経糸よりも短く、帯部の緯糸とプリーツ部の緯糸は連続しているものである。
【００１３】
織物のテープの具体的な構成の一例は、次の通りである。すなわち帯部の経糸は、プリーツ部の経糸に比べて熱収縮率の高い糸であって、熱収縮した状態となっていることである。
【００１４】
本発明のファスナーチェーンは、テープに織物を用いるものに限らず、例えば次のものであっても良い。
すなわち本発明のファスナーチェーンは、経編組織の編物からなる一対のテープであってその長手方向がウェールの延長方向である一対のテープと、一対のテープの対向する側縁部に固定された一対のエレメント列とを含む一対のファスナーストリンガーを備えるものである。テープは、前記側縁部を形成する帯部と、前記側縁部とは反対側を形成するプリーツ部とを備える。帯部は平板形状である。プリーツ部は、ウェールの延長方向に折り畳み可能に屈曲して連続する複数のプリーツ片を備える。
【００１５】
以上のファスナーチェーンはスライドファスナーに用いられる。スライドファスナーのスライダーがファスナーチェーンを噛み込み難くするには次のようにすることが望ましい。すなわちスライドファスナーは、上記したファスナーチェーンと、ファスナーチェーンを開閉するスライダーとを備えるものとする。スライダーは、一対のエレメント列に沿って往復動可能なスライダー胴体を備えるものとする。帯部は、テープの短手方向の全長のうちスライダー胴体に対面する全範囲に形成されているものとする。
【００１６】
またスライドファスナーは、帯部が短手方向に一直線に延長する構造の他にも、色々な構造がある。たとえばスライドファスナーは、テープの長手方向から視ると帯部が前記対向する側縁部とは反対側に向かって開口するＵ字状であると共に、Ｕ字状の内側に空間部を備えるもので、スライダー胴体が、一対の前記空間部を通過する一対の上板片を備えるものである。
【発明の効果】
【００１７】
本発明のファスナーチェーンのうちテープに織物を用いたものによれば、帯部にはエレメント列を固定し、プリーツ部には経糸の延長方向に折り畳み可能に屈曲して連続する複数のプリーツ片を備えるので、対象物の開口部が湾曲形状である場合には、開口部の湾曲形状に合わせてプリーツ部を伸縮させた形状で対象物に固定することができる。そうすると、開口部の湾曲形状に合わせて変形させた帯部から元々の形状に戻ろうとする内部応力が発生するが、隣り合うプリーツ片が経糸の延長方向に繋がっていることから、その内部応力を小さくする力がプリーツ片に発生し、対象物に皺ができ難くなる。しかもプリーツ部が経糸の延長方向に連続するプリーツ片を備えるので、切込みを入れたファスナーチェーンに比べれば、テープの強度を向上させることができるし、スライダーにプリーツ部が噛み込まれ難くなる。なお本発明のファスナーチェーンのうちテープに経編組織の編物を用いたものも同様の効果を発揮する。
【００１８】
またテープに織物を用いたものであって、帯部の経糸をプリーツ部の経糸よりも短くし、帯部の緯糸とプリーツ部の緯糸を連続しているファスナーチェーンによれば、帯部の緯糸とプリーツ部の緯糸とが分離しているものに比べれば、各テープを変形させ易くなる。
【００１９】
またテープに織物を用いたものであって、プリーツ部の経糸に比べて熱収縮率の高い糸を帯部の経糸にすると共に、帯部の経糸を熱収縮させた状態としているファスナーチェーンであれば、テープに帯部とプリーツ部を作りやすくなる。
【００２０】
さらに本発明のスライドファスナーによれば、テープの短手方向の全長のうちスライダー胴体に対面する全範囲に帯部が形成されているので、スライダー胴体にテープが噛み込み難くなる。
【図面の簡単な説明】
【００２１】
【図１】本発明の第一実施形態のスライドファスナーを示す正面図である。
【図２】ファスナーストリンガーを示す断面図である。
【図３】図２のIII−III線切断部の断面のみを示す端面図である。
【図４】図２のIV−IV線切断部の断面のみを示す端面図である。
【図５】テープの製造方法を示す説明図である。
【図６】第一実施形態のスライドファスナーの使用状態を示す正面図である。
【図７】第一実施形態のスライドファスナーにおけるスライダーとテープとの関係を示す断面図である。
【図８】本発明の第二実施形態のスライドファスナーを示す正面図である。
【図９】第二実施形態のスライドファスナーにおけるスライダーとテープとの関係を示す断面図である。
【図１０】図９の一部を拡大した図面である。
【図１１】本発明の第三実施形態のスライドファスナーに用いるファスナーチェーンのテープを示す組織図である。
【図１２】図１１に示したテープに使用する編糸を示す組織図である。
【発明を実施するための形態】
【００２２】
本発明の第一実施形態のスライドファスナーＦは図１に示すように、開閉可能なファスナーチェーン１と、ファスナーチェーン１を開閉させるスライダー６とを備える。
【００２３】
ファスナーチェーン１は、開閉可能であって隣り合わせに並べてある一対のファスナーストリンガー２，２から構成される。
【００２４】
一対のファスナーストリンガー２，２は、隣り合わせに並べてある一対のテープ３，３と、一対のテープ３，３の対向する側縁部に沿って固定される一対のエレメント列４，４と、一対のエレメント列４，４の長手方向の両端部においてテープ３に固定されると共にスライダー６の移動範囲を定める複数の止具５とを備える。
【００２５】
以後、図１を基準にして方向を説明する。
一対のテープ３，３を並べる方向とは、左右方向であり、テープの短手方向、或いはテープ３としての織物を構成する緯糸の延長方向、すなわち緯糸方向とも言い、図１の左右方向に一致する。したがって一対のテープ３，３の対向する側縁部とは、左側のテープ３の右側縁部と、右側のテープ３の左側縁部のことである。
一対のエレメント列４，４の長手方向とは、前後方向であり、テープ３の長手方向、或いはテープ３としての織物を構成する経糸の延長方向、すなわち経糸方向とも言い、図１の上下方向である。またファスナーチェーン１を閉じるためにスライダー６を移動させる方向は前方向であり、図１の上方向である。ファスナーチェーン１を閉じるためにスライダー６を移動させる方向は後方向であり、図１の下方向である。
テープ３の厚み方向とは、上下方向であり、図１の紙面に対して直交する方向であり、上方向とは図１の紙面に対して手前側を向く方向であり、下方向とは図１の紙面に対して奥側を向く方向である。
【００２６】
エレメント列４は図１，２に示すように、一列に配置された多数のエレメント４１を基本的構成要素として備えるものである。図示の例のエレメント列４は、多数のエレメント４１が螺旋状に連続しているコイルエレメントと、各エレメント列４内に挿通される芯紐４２とを備えるもので、縫糸Ｎ１によってテープ３に縫い付けられ固定される。なお図示しないが、エレメント列は、多数の独立したエレメントを所定間隔おきに一列に配置したものであっても良い。例えば、合成樹脂や金属をテープ３に直接射出成形した射出ファスナーや、Ｙ字状の金属エレメントをテープの端縁に加締固定した金属ファスナーなどがある。
【００２７】
テープ３は１枚の織物（織布）である。織物は図１，２に示すように経糸３ａと緯糸３ｂを組み合わせて織られた布で、テープ３の厚み方向から視て細長い矩形に形成されている。矩形の長辺方向は経糸方向であり、矩形の短辺方向は緯糸方向である。またテープ３は、緯糸方向の片側には帯状の帯部３１を、緯糸方向の反対側には経糸方向に折り畳み可能なプリーツ部３２を備えている。テープ３を平面に置いた状態で緯糸方向から視ると、帯部３１は図３に示すように平らな帯状、つまり平板形状、より詳しく言えば帯部３１の上面及び下面が経糸方向に沿って平らに一直線に連続する形状であり、プリーツ部３２は図４に示すように、経糸方向に延長しながら上方向および下方向に交互に延長する形状、言い換えれば全体として経糸方向に延長しながら上下に屈曲するジグザグ形状である。
【００２８】
帯部３１の経糸３ａとプリーツ部３２の経糸３ａには、熱収縮率が大きく異なる２種類の糸が使用されている。１種類目の糸は、ポリエステル、ナイロン、コットンのように殆ど熱収縮しない糸である。２種類目の糸は、ポリエステル等に比べて熱収縮率が高いもの、たとえば熱収縮率が２０〜４０％の糸であり、摂氏２０℃前後では全く熱収縮せず、所定の高温環境下、例えば摂氏１２０℃の温度で所定時間置いておくと、熱収縮前に比べて２０〜４０％収縮するものである。そして帯部３１の経糸３ａには１種類目の糸を用い、熱収縮させたものである。いっぽうプリーツ部３２の経糸３ｂには２種類目の糸を用いている。そしてテープ３は織物として完成させた後に、上記した所定の高温環境下に置かれたものなので、帯部３１の経糸３ａはプリーツ部３２の経糸３ａに比べて短くなっている。
なお緯糸３ｂには殆ど熱収縮しない糸が用いられている。また帯部３１の緯糸３ｂとプリーツ部３２の緯糸３ｂは、テープ３が１枚の織物であることから、連続している。
【００２９】
帯部３１は図７に示すように、テープ３の緯糸方向の全長のうちスライダー６の後述するスライダー胴体６ａに対面する全範囲以上に形成され、プリーツ部３２はスライダー胴体６ａに対面しない部分に形成されている。より詳しく言えばスライドファスナーＦとしての一対の帯部３１，３１の緯糸方向の領域は、スライダー胴体６ａの左右方向の領域Ｗ１と同じかそれよりも左右に広く形成されている。したがって帯部３１の緯糸方向の全長は、エレメント列４を載せる分だけでなく、エレメント列４の左右方向外側を通行するスライダー胴体６ａの後述するフランジ６３に対面する分を加味して設定される。
【００３０】
プリーツ部３２は、多数のプリーツ片３３から構成され、多数のプリーツ片３３が経糸方向に一列に並ぶと共に、経糸方向に隣り合うプリーツ片３３，３３が折り目３４によって屈曲する状態で連続するものである。折り目３４は緯糸方向に延長するもので、経糸方向に隣り合うプリーツ片３３，３３の境界部分となる。また折り目３４には山折用の折り目３４ａと谷折用の折り目３４ｂがある。プリーツ部３２は、山折用の折り目３４ａと谷折用の折り目３４ｂとを経糸方向に間隔をあけて交互に配置してあり、これら折り目３４ａ，３４ｂによって折り畳みを可能としてある。各山折用の折り目３４ａは同じ高さ位置に配置され、各谷折用の折り目３４ｂは山折用の折り目３４ａよりも低い位置で、同じ高さ位置に配置されている。また隣り合うプリーツ片３３，３３は、経糸方向の長さが異なる矩形状であり、経糸方向の長い長プリーツ片３３ａと、経糸方向の短い短プリーツ片３３ｂとから構成されている。そしてプリーツ部３２は、長プリーツ片３３ａと短プリーツ片３３ｂとが経糸方向に交互に連続するものである。
【００３１】
止具５は、エレメント４１よりも厚みが厚かったり、エレメント４１よりもプリーツ部３２側に延長したりして、スライダー６に衝突するようになっている。図１に示すように止具５には前止５１と後止５２とが存在する。前止５１は、各エレメント列４に対して前方の近傍位置において対応する側のテープ３に固定される。後止５２は、一対のエレメント列４，４に対して後方の近傍位置において一対のテープ３，３を接合する状態で固定される。
【００３２】
スライダー６は図１，７に示すように、一対のエレメント列４，４に沿って往復動可能なものであって、その移動方向によって一対のエレメント列４，４を噛合又は分離させるものである。
【００３３】
スライダー６は、一対のエレメント列４，４に係合すると共に前後に移動可能なスライダー胴体６ａと、スライダー胴体６ａに対して連結される引手６ｂとを備える。
【００３４】
スライダー胴体６ａは、上下方向に間隔をおいて対向する上翼板６１及び下翼板６２と、上翼板６１及び下翼板６２の前部同士の対向する間を互いの左右方向中間部において連結する案内柱（図示略）であって一対のエレメント列４，４の間に挟まれる案内柱と、上翼板６１及び下翼板６２の少なくとも一方（図示の例では上翼板６１）の左右端部から上翼板６１及び下翼板６２の対向する間隔を狭める方向に突出するフランジ６３，６３と、上翼板６１の上面側に突出する引手取付部６４とを備えている。
【００３５】
またスライダー胴体６ａはその内部空間として、前後方向に貫通するエレメント通路６５であって後側が一本で前側が二本に分岐したエレメント通路６５と、エレメント通路６５に連通すると共に左右に開口するテープ溝６６が形成される。エレメント通路６５には一対のエレメント列４，４が通され、各テープ溝６６には対応する側のテープ３が通される。また引手取付部６４には左右方向に貫通する貫通穴（図示略）が形成され、この貫通穴に引手６ｂの一部を挿通することにより、引手６ｂはスライダー胴体６ａに連結される。
【００３６】
第一実施形態のファスナーチェーン１に用いる各テープ３は図５に示すように次の（１）〜（３）の手順で製造される。
【００３７】
（１）最終的にはテープ３になる細長い帯状の織物３Ｙが巻かれた布巻ロールを用意する。この帯状の織物（織布）を、以後、便宜上、織布帯と言う。また織布帯３Ｙは、その長手方向が経糸方向に一致し、その短手方向が緯糸方向に一致するものである。また織布帯３Ｙは、平行な多数本の経糸３ａからなる経糸列と、平行な多数本の緯糸３ｂからなる緯糸列とから構成される。経糸列を構成する経糸３ａには、前記したように熱収縮率が大きく異なる２種類の糸が使用されている。そして織布帯３Ｙを構成する経糸列は、緯糸方向の片側の多数本の経糸３ａには熱収縮率の高い前記１種類目の糸が使用され、反対側の多数本の経糸３ａには第1種類目の糸よりも熱収縮率が小さい糸、例えば殆ど熱収縮しない前記２種類目の糸が使用されている。また緯糸列を構成する緯糸３ｂには、殆ど熱収縮しない前記２種類目の糸が使用されている。
【００３８】
（２）織布帯３Ｙをプリーツ加工機８に通す。プリーツ加工機８は、織布帯３Ｙが巻かれた布巻ロールを支持する支持部（図示略）と、織布帯３Ｙを挟むようにして送り出す一対のローラ８１，８１と、織布帯３Ｙにプリーツ３６を作るプリーツプレート８２であって一対のローラ８１，８１の近傍であって織布帯３Ｙが巻き取られる直前部分において往復動可能に設けられるプリーツプレート８２と、プリーツ３６の付いた織布帯３Ｚを巻き取る巻取りロールを回す巻取り部（図示略）とを備えるものである。プリーツ加工機８を駆動させると、一対のローラ８１，８１の間を織布帯３Ｙが順次通過していく。またプリーツプレート８２が往復動しており、プリーツプレート８２が織布帯３Ｙを部分的に折り畳みながら一対のローラ８１，８１側に押し込んで、プリーツ部３２の基になるプリーツ３６を織布帯３Ｙに作る。プリーツ３６は織布帯３Ｙの緯糸方向全長に亘るもので、織布帯３Ｙの経糸方向に連続して作られる。その後、プリーツ３６の付いた織布帯３Ｙが一対のローラ８１，８１間に通されることによって、プリーツ３６に折り目３４が確実に形成され、多数のプリーツ３６が順次形成された織布帯３Ｚが形成され、織布帯３Ｚが巻取部によって巻取りロールに巻き取られる。
【００３９】
（３）このプリーツ３６が形成された織布帯３Ｚを熱処理機９に通す。熱処理機９は高温室９１であり、その室温は前記２種類目の糸が熱収縮する温度である。織布帯３Ｚを高温室９１に通す（投入して所定時間経過する）と、織布帯３Ｚの経糸列のうち前記２種類目の糸が熱収縮して、織布帯３Ｚの緯糸方向の片側部分はプリーツ３６がなくなって帯部３１となり、織布帯３Ｚの経糸列のうち前記１種類目の糸が殆ど熱収縮せず、織布帯３Ｚの反対側部はプリーツ３６がそのまま残ってプリーツ部３２となる。したがって所定時間経過後に織布帯３Ｚを回収すると、織布帯３Ｚは、帯部３１とプリーツ部３２が緯糸方向に連続するテープ３になっている。また帯部３１の経糸３ａは熱収縮したので、プリーツ部３２の経糸３ａよりも短くなり、それによって帯部３１の隣り合う緯糸３ｂ，３ｂの間隔は図１に示すように、プリーツ部３２の隣り合う緯糸３ｂ、３ｂの間隔よりも狭くなり、帯部３１の強度が向上する。
【００４０】
（１）〜（３）の手順で製造したテープ３の帯部３１の上にエレメント列４を載せ、縫糸Ｎ１でエレメント列４を帯部３１に縫い付ける。また二本のテープ３，３の一対のエレメント列４，４にスライダー６を係合させ、各テープ３のエレメント列４の前側に前止５１を固定し、二本のテープ３，３の後側に後止５２を固定することにより、スライドファスナーＦが完成する。このときスライダー胴体６ａの左右方向の領域Ｗ１に一対の帯部３１，３１が配置され、当該領域Ｗ１の左右外側に一対のプリーツ部３２，３２が配置されるので、スライダー胴体６ａがテープ３を噛み込み難くなる。
【００４１】
このようにして製造した第一実施形態のスライドファスナーＦは、ファスナーチェーン１の帯部３１にエレメント列４を固定し、プリーツ部３２を山折用と谷折用の折り目３４ａ，３４ｂで伸縮可能としてあるので、プリーツ部３２を伸縮させることができる。しかもプリーツ部３２はプリーツ片３３が経糸方向に連続しているので、切込みを入れたファスナーチェーン１に比べれば、テープ３の強度を向上させることができる。
【００４２】
本発明の第一実施形態のスライドファスナーＦは、図６，７に示すように例えば革製の対象物７に取り付けられる。図示の例では対象物７は所定形状の２枚の革本体７１，７１であり、平面上に置かれた２枚の革本体７１，７１は同じ形状であり、その形状は、帯状で、前後に延長すると共に、その左右方向の両縁が蛇行するように湾曲している形状である。
【００４３】
一対の革本体７１，７１を平面上に一定間隔あけて隣り合わせに対向させて並べると、一対の革本体７１，７１の間に形成される開口部７２は、その開口幅が一定になると共に、その延長方向が対向する縁の形状と同じく、蛇行するように湾曲する形状になる。
【００４４】
いっぽうスライドファスナーＦのファスナーチェーン１は平面上に置かれると、外力が加わっていない場合には一直線に延長するものである。ただし一対のエレメント列４，４は噛合するエレメント４１，４１同士に僅かな隙間があり、しかもテープ３は織物であるので、ファスナーチェーン１は元々変形可能である。そのうえテープ３は帯部３１にエレメント列４を固定してあるので、プリーツ部３２は帯部３１とは反対側において自由に伸縮可能となっている。
【００４５】
したがって開口部７２の湾曲形状にスライドファスナーＦの形状が合うように変形させると、湾曲形状の開口部７２の内周側ではその湾曲形状に合わせて隣り合うプリーツ片３３，３３同士の折り重ね量が多くなり、その部分ではプリーツ部３２が縮んだ形状に変形し、湾曲形状の開口部７２の外周側ではその湾曲形状に合わせて隣り合うプリーツ片３３，３３同士の折り重ね量が少なくなり、その部分ではプリーツ部３２が伸びた形状に変形する。このようにプリーツ部３２を変形させた状態で革本体７１の縁部に縫糸Ｎ２で固定してある。また縫糸Ｎ２の縫い付け位置は、プリーツ部３２の緯糸方向全長の中間部となるようにする。そうすると開口部７２の湾曲形状に合わせて変形させた帯部３１から元々の形状に戻ろうとする内部応力が発生する。しかし隣り合うプリーツ片３３が経糸方向に繋がっていることから、その内部応力を小さくする力がプリーツ片３３に発生し、対象物７に皺ができ難くなる。またプリーツ部はプリーツ片３３が経糸方向に連続していることから、スライダー胴体６ａに噛み込まれ難くなる。
【００４６】
本発明の第二実施形態のスライドファスナーＦは図８〜１０に示すように、隠しスライドファスナーであり、ファスナーチェーン１の形状およびスライダー６の形状が第一実施形態のスライドファスナーＦと相違する。
【００４７】
ファスナーチェーン１のうち一対のテープ３，３は、経糸方向から視ると、各帯部３１をその短辺方向の長さを短くするようにＵ字状に折り返して曲げてあり、左右対称となるように一対の帯部３１，３１を左右に接するように対向させてある。各帯部３１は、対向する側縁部とは反対側に向かって開口するＵ字状であり、Ｕ字状の内側にスライダー６の一部が通行する通行空間部３１ｓを備えている。また各帯部３１は、円弧状に湾曲する円弧部３１ａと、円弧部３１ａの一端からプリーツ部３２に向かって延長する表部３１ｂと、円弧部３１ａの他端から表部３１ｂに対向するようにプリーツ部３２から離れる方向へ延長する裏部３１ｃとを備える。裏部３１ｃには、通行空間部３１ｓとは反対側の面である下面にエレメント列４が固定される。そして一対のエレメント列４，４を一対の裏部３１ｃごと覆うのが、スライダー胴体６ａである。
【００４８】
スライダー胴体６ａは、左右に間隔をあけて対向する一対の上板片６１ａ，６１ａ、一対の上板片６１ａ，６１ａに対して下側に間隔をあけて対向する下翼板６２、一対の上板片６１ａ，６１ａの左右縁部と下翼板６２の左右縁部とを接合する一対の側板６７，６７と、一対の側板６７，６７の間において下翼板６２から上方へ突出する案内柱（図示略）と、案内柱の上に設けられる引手取付部６４とを備える。
【００４９】
一対の上板片６１ａ，６１ａと一対の側板６７，６７と下翼板６２はファスナーチェーン１の下側である裏側に位置すると共に、一対のエレメント列４，４と一対の裏部３１ｃを覆う状態となり、この状態でスライダー胴体６ａは一対のエレメント列４，４に沿って往復動可能となる。また引手取付部６４及び引手６ｂは、ファスナーチェーン１の上側である表側に位置するようになる。
【００５０】
またスライダー胴体６ａの左右方向の領域Ｗ１の左右両端は、一対の上板片６１ａ，６１ａの左右両端に一致するものとなる。そしてスライドファスナーＦとしての一対の帯部３１，３１の緯糸方向の領域は、Ｕ字状ではあるが、スライダー胴体６ａの左右方向の当該領域Ｗ１よりも左右に広く形成されている。
【００５１】
第二実施形態のスライドファスナーＦは隠しスライドファスナーであるが、スライダー胴体６ａの左右方向の領域Ｗ１よりも左右方向外側にまで帯部３１が形成されているので、スライダー胴体６ａがテープ３を噛み込み難くなっている。
【００５２】
本発明の第三実施形態のスライドファスナーに使用するファスナーチェーンのテープ３は図１１，１２に示すように、第一実施形態のスライドファスナーに使用するテープと相違する。
【００５３】
テープ３は１枚の編物であり、経編組織で編まれた生地である。また編物のテープ３は、図示の例では３種類の編糸３ｓ，３ｔ，３ｕにより形成されている。詳しく言えば、２種類の経編糸（鎖編糸３ｓとトリコット編糸３ｔ）と、残り１種類の緯挿入糸３ｕとにより形成されている。鎖編糸３ｓは生地の全ウェールＷａに、０−１／１−０の繰り返し組織で編まれている。またトリコット編糸３ｔは、編目を閉じ目として、隣り合う２列のウェールＷａ，Ｗａに１−２／１−０の繰り返し組織で、鎖編糸３ｓに絡めて編まれている。緯挿入糸３ｕは、隣り合う３列のウェールＷａ，Ｗａ，Ｗａ毎に折り返して、０−０／３−３の繰り返し組織で、鎖編糸３ｓとトリコット編糸３ｔの編目の中に編み込まれている。
編物のテープ３は、織物のテープと同様に、自身の厚み方向から視て細長い矩形状に形成されており、編物３の編糸３ｓ，３ｔ，３ｕは、厚み方向から見た場合、自身（テープ３）の長手方向とウェールＷａの延長方向とが一致している。また編糸３ｓ，３ｔ，３ｕのうち、織物の経糸に相当するものは、ウェールＷａを形成するもの、つまり経編糸３ｓ，３ｔであり、織物の緯糸に相当するものは、緯挿入糸３ｕである。緯挿入糸３ｕも全体的にはテープ３の長手方向に延長するものであるので、織物の経糸に相当するが、ループを作ることなく、経編糸３ｓ，３ｔを連結するためにテープ３の短手方向にも延長するものだから、本発明では織物の緯糸に相当するものとして定義する。
また編物のテープ３は、織物のテープの場合と同様に、緯糸方向の片側には帯部３１を、緯糸方向の反対側にはプリーツ部３２を備える。帯部３１の経編糸３ｓ，３ｔには熱収縮率の高い糸が用いられ、プリーツ部３２の経編糸３ｓ，３ｔには帯部３１の経編糸３ｓ，３ｔよりも熱収縮率が小さい糸、例えば殆ど熱収縮しない糸が用いられる。より詳しくは、鎖編糸３ｓとトリコット編糸３ｔは、帯部３１とプリーツ部３２とで熱収縮率が大きく異なる２種類の糸が用いられる。ただしトリコット編糸３ｔのうち１本は、帯部３１とプリーツ部３２を跨るように隣り合う２列のウェールＷａに編み込まれており、このトリコット編糸３ｔには、帯部用、プリーツ部用のトリコット編糸３ｔの何れが用いられていても良い。また緯挿入糸３ｕには殆ど熱収縮しない糸が用いられる。そしてテープ３は編物として完成させた後に、所定の高温環境下に置かれることによって、帯部３１の経編糸３ｓ、３ｔはプリーツ部３２の経編糸３ｓ、３ｔに比べて短くなっている。
【００５４】
帯部３１は、図示しないが織物の場合の帯部と同様に、テープ３を平面に置いた状態で緯糸方向から視ると、平板状である。また同様に視ると、プリーツ部３２は、図示しないが織物の場合のプリーツ部と同様に、多数のプリーツ片がウェールＷａの延長方向に一列に並ぶと共に、ウェールＷａの延長方向に隣り合うプリーツ片が折り目によって屈曲する状態で連続するものである。
【００５５】
上記した編物のテープ３が用いられたファスナーチェーンでは、その経編糸３ｓ、３ｔが、織物のテープが用いられたファスナーチェーンの経糸３ａの役目を果たし、その緯挿入糸３ｕが、織物のテープが用いられたファスナーチェーンの緯糸３ｂの役目を果たすので、織物のテープが用いられたファスナーチェーンと同様の効果を発揮する。
【００５６】
なお本発明は上記実施形態に限定されるものではなく、その趣旨を逸脱しない範囲において適宜変更可能である。たとえば編物のテープが用いられたファスナーチェーンの場合、緯挿入糸を用いるものであれば良く、経編糸には鎖編糸とトリコット編糸とを併用するものに限られず、例えば経編糸に鎖編糸だけを用いるものであっても良いし、他の編糸のみを用いるものであっても良い。
【符号の説明】
【００５７】
Ｆ  スライドファスナー
１  ファスナーチェーン
２  ファスナーストリンガー
３  テープ（織物、編物）
３ａ  経糸
３ｂ  緯糸
３ｓ  鎖編糸（経編糸）
３ｔ  トリコット編糸（経編糸）
３ｕ  緯挿入糸
３Ｙ  織布帯
３Ｚ  織布帯
３１  帯部
３１ａ  円弧部
３１ｂ  表部
３１ｃ  裏部
３１ｓ  通行空間部
３２  プリーツ部
３３  プリーツ片
３３ａ  長プリーツ片
３３ｂ  短プリーツ片
３４  折り目
３４ａ  山折用の折り目
３４ｂ  谷折用の折り目
３６  プリーツ
４  エレメント列
４１  エレメント
４２  芯紐
Ｎ１  縫糸
５  止具
５１  前止
５２  後止
６  スライダー
６ａ  スライダー胴体
６１  上翼板
６１ａ  上板片
６２  下翼板
６３  フランジ
６４  引手取付部
６５  エレメント通路
６６  テープ溝
６７  側板
６ｂ  引手
７  対象物
７１  革本体
７２  開口部
Ｎ２  縫糸
８  プリーツ加工機
８１  ローラ
８２  プリーツプレート
９  熱処理機
９１  高温室
Ｗ１  スライダー胴体の左右方向の領域
Ｗａ  ウェール
【図１】
2017018327.tif 000003
【図２】
2017018327.tif 000004
【図３】
2017018327.tif 000005
【図４】
2017018327.tif 000006
【図５】
2017018327.tif 000007
【図６】
2017018327.tif 000008
【図７】
2017018327.tif 000009
【図８】
2017018327.tif 000010
【図９】
2017018327.tif 000011
【図１０】
2017018327.tif 000012
【図１１】
2017018327.tif 000013
【図１２】
2017018327.tif 000014